【事件の表示】
　平成　９年特許願第１１６４２０号「フィラメントのサポートの取付方法」拒絶査定不服審判事件〔平成１０年１１月　４日出願公開、特開平１０−２９４０９０〕について、次のとおり審決する。
【結　論】
　本件審判の請求は、成り立たない。
【理　由】
第１　手続の経緯
　本願は、平成９年４月１８日の出願であって、平成１６年２月２３日付け（発送日平成１６年３月２日）で拒絶査定がなされ、これに対し、同年４月１日に拒絶査定に対する審判請求がなされるとともに、同年４月３０日付けで手続補正がなされたものである。
　
第２　平成１６年４月３０日付けの手続補正についての補正却下の決定
［補正却下の決定の結論］
　平成１６年４月３０日付けの手続補正を却下する。
　
［理由］
　１　補正の内容
　本件補正の内容は、特許請求の範囲の記載を、補正前の、
「【請求項１】少なくともいずれかの端部側に融着部材が取着され、融着部材設置部分以外の部分にリング状のフィラメント保持部が形成されるサポートと、前記リング状のフィラメント保持部にてサポートが遊嵌状にて吊り下げられるフィラメントとで構成されるサポート組込フィラメントと、外囲器とを用意し、サポートを吊り下げた状態でフィラメントを外囲器内に挿入し、サポートに取り付けた融着部材を加熱して外囲器の内周面に融着する事を特徴とするフィラメントのサポートの取付方法。」
から、補正後の、
「【請求項１】少なくともいずれかの端部側に融着部材が取着され、融着部材設置部分以外の部分にリング状のフィラメント保持部が形成されるサポートと、前記リング状のフィラメント保持部にてサポートが遊嵌状にて吊り下げられ
ている
て融着部材を外囲器の内周面に接触させ、融着部材が外囲器の内周面に接触している状態で
に、補正する補正事項を含むものである。
　
　２　補正の目的の適否について
　上記補正事項の内、「吊り下げられるフィラメント」を「吊り下げられ
ている
て融着部材を外囲器の内周面に接触させ、融着部材が外囲器の内周面に接触している状態で
　そこで、上記補正後の請求項１に記載された事項により特定される発明（以下、「補正後発明」という。）が、特許出願の際独立して特許を受けることができるものであるかについて、以下に検討する。
　
　３　独立特許要件について
（１）補正後発明
「【請求項１】少なくともいずれかの端部側に融着部材が取着され、融着部材設置部分以外の部分にリング状のフィラメント保持部が形成されるサポートと、前記リング状のフィラメント保持部にてサポートが遊嵌状にて吊り下げられ
ている
て融着部材を外囲器の内周面に接触させ、融着部材が外囲器の内周面に接触している状態で
　
（２）引用例
　　ア　原査定の拒絶の理由に引用された、本願出願前に頒布された刊行物である特開平６−４４９４９号公報（以下、「引用例１」という。）には、以下の事項が図面と共に記載されている。
　　（ア）「【請求項２１】フィラメント室を含むガラス質白熱ランプエンベロープの中に直線状のコイルフィラメントを支持するための方法に於いて、（ｉ）上記フィラメントのコイル部の少なくとも１ターンに少なくとも一つの耐熱金属フィラメント支持物を溶接することによりフィラメント−支持物集合体を形成するステップ、（ｉｉ）ガラス質材料のビードを上記フィラメント支持物に固定するステップ、（ｉｉｉ）上記集合体を上記エンベロープの上記フィラメント室の中に配置するステップ、および（ｉｖ）上記ビードを加熱することにより上記ビードを上記支持物に融着させ、かつ上記室の内表面に融着させるステップを含むことを特徴とする支持方法。」（特許請求の範囲の請求項２１）
　　（イ）「【０００１】【産業上の利用分野】本発明は白熱ランプのためのフィラメント支持物に関するものである。更に詳しく述べると、少なくとも一つの耐熱金属支持線によりガラス質フィラメント室の中にコイルフィラメントが支持され、耐火金属支持線の一端はフィラメントに溶接され、他端がガラス質の室に取り付けられた白熱ランプに関するものである。」
　　（ウ）「【０００４】このような構造で細いフィラメント線を使用する高電圧白熱ランプではフィラメントのたるみが特に重大であり、フィラメントがたるんで室の壁に触れ、フィラメントが短絡したり、ガラス質の室の壁が溶けたりする。・・・したがってたるみが防止され、フィラメントの精密な心合わせが不要で、フィラメントをこわすことなく直径の小さな管を通して大きなフィラメント室に挿入することができる上記のようなダブルエンド型白熱ランプ用のフィラメント支持物が要求されてきた。」
　　（エ）「【０００７】【詳しい説明】図１はフィラメント室４９および締まり封止された管形端部５６、５６’を含む溶融石英のガラス質エンベロープをそなえたダブルエンド型白熱ランプ５４の概略図である。楕円形のフィラメント室４９の中には、二重コイル直線フィラメント２８が入っている。両方の管形端部５６、５６’がモリブデンの箔部材４０、４０’の上に締まり封止されることにより、気密封止がおこなわれる。外側リード線４２および４２’が端部５６および５６’を通り越して伸びる。・・・図示した実施例では、直線状のフィラメントコイル２８は二つのタングステンのフィラメント支持物１０および１０’をそなえた二重コイルのタングステンのフィラメントである。フィラメント支持物１０および１０’は各々、後で更に詳しく説明するモリブデンの溶接部によりフィラメントの別個の二次コイルに直接溶接されている。各支持物１０、１０’の他端はガラス質ビード２４、２４’により、フィラメント室の内壁４８にしっかり固定されている。ガラス質ビード２４、２４’は各フィラメント支持物１０、１０’の端のまわりに融解され、フィラメント室の壁の内表面４８に溶融して接着されている。」
　　（オ）「【００１５】次に、図５および６には、フィラメント−モリブデン箔引き出し線集合体３２が示されている。直線状の二重コイルフィラメントのそれぞれ一つの二次ターンに溶接された二つの耐熱金属支持物１０、１０’が集合体３２に含まれている。フィラメント支持物１０、１０’の各々には、他端に固定されたガラス質の封止ガラスビード２４、２４’が含まれている。・・・図６は封止されていない白熱ランプ集合体５２の中に挿入された後の集合体３２を示す。・・・したがって、本発明のフィラメント支持物はフィラメントコイル集合体の一部として一つの管形部分を通してフィラメント室に入れることができ、白熱ランプ製造工程のこの部分の間にフィラメントまたは支持物をこわすことが無い。フィラメントをフィラメント室内に配置した後、レーザ融解またはトーチによる加熱でビードが支持物の端に融着され、フィラメント室の内表面に融着される。・・・ガラス質ビード２４がフィラメント室の内表面に固定された後、白熱ランプ集合体５２に排気、ポンプ操作、洗浄を行い、所望の充てん物を充てんし、モリブデン箔４０および４０’に対して締まりシール５６、５６’を形成することによって封止を行う。【００１６】場合によっては、このような白熱ランプ内のフィラメントに対して二つ以上のフィラメント支持物を用いる必要があることがわかった。本発明による白熱ランプは必要なだけの数のフィラメント支持物を持つように作ることができ、フィラメント室内にフィラメントを固定するために一つおよび二つのフィラメント支持物を用いて、白熱ランプが作られてた。」
　　（カ）「【００１８】以上は説明のためのものであり、本発明の実施の非限定的な例を示すものである。熟練した当業者には明らかなように、他の構成および白熱ランプ用途で実施することもできる。これには、通常の白熱ランプのような管形白熱ランプ、・・・も含まれる。」
　　（キ）図面の図６には、フィラメント支持物１０、１０’は、フィラメントコイル２８から下方に吊り下がった状態に描かれており、また、ガラス質ビード２４、２４’は、フィラメント室の内表面に接して描かれている。
　
　そうすると、上記記載事項（オ）の記載「本発明のフィラメント支持物はフィラメントコイル集合体の一部として一つの管形部分を通してフィラメント室に入れることができ、白熱ランプ製造工程のこの部分の間にフィラメントまたは支持物をこわすことが無い。フィラメントをフィラメント室内に配置した後、レーザ融解またはトーチによる加熱でビードが支持物の端に融着され、フィラメント室の内表面に融着される。」及び上記記載事項（キ）によれば、フィラメントコイル集合体３２の一部としてのフィラメント支持物１０、１０’は、片方の端部側がフィラメントコイル２８に溶接部で直接溶接されていることはともかくとして、フィラメントコイル２８に吊り下げられた状態でフィラメント室に入れられることが読み取れ、フィラメント支持物１０、１０’の残りの片方の端部側に固定されたガラス質ビード２４、２４’は、フィラメント室に入れられた状態でフィラメント室の内表面に接触しており、当該状態でガラス質ビード２４、２４’が加熱されて内表面に融着するものであることが読み取れる。
　したがって、上記記載事項（ア）〜（キ）からみて、引用例１には次の発明（以下、「引用発明」という。）が記載されているものと認める。
「一方の端部側にガラス質ビード２４、２４’が固定され、他方の端部側にフィラメントコイル２８に直接溶接される溶接部が形成されるフィラメント支持物１０、１０’と、前記溶接部にてフィラメント支持物１０、１０’が吊り下げられているフィラメントコイル２８とで構成されるフィラメントコイル集合体３２と、フィラメント室４９を含むガラス質白熱ランプエンベロープとを用意し、フィラメント支持物１０、１０’を吊り下げた状態でフィラメントコイル集合体３２をフィラメント室４９に入れてガラス質ビード２４、２４’をフィラメント室４９の内表面に接触させ、ガラス質ビード２４、２４’がフィラメント室４９の内表面に接触している状態でフィラメント支持物１０、１０’に固定したガラス質ビード２４、２４’を加熱してフィラメント室４９の内表面に融着するフィラメント支持物１０、１０’の取付方法。」
　
　　イ　原査定の拒絶の理由に引用された、本願出願前に頒布された刊行物である実公昭４０−３０７９０号公報（以下、「引用例２」という。）には、以下の事項が図面と共に記載されている。
　　（ア）「本考案は多重コイル繊条を備えた管形電球の改良に係り殊に繊条の垂れ下りを防止するようにしたものである。例えば沃素封入の管形電球においては沃素とタングステンとの循環化学反応を円滑確実に行わせるために繊条が常に管軸上に正しく支持されていることが殊に重要な要件である。」（１頁左欄２０〜２６行）
　　（イ）「第１図において、不活性ガスと沃素とが封入され中央部に排気管封着部２がかる石英ガラス管１内に管軸に沿つて配設した例えば２重コイル繊条３はタングステン線を１次コイル４に巻回しこれを更に２次コイルに巻回して作られたものでその両端の直線上に延長した線端部をこれに接続したモリブデン箔具備の導入導体５と一緒に管両端のガラスに夫々封着支持させている。繊条中央部の側方に繊条とほぼ直角に配設されたタングステン支持線６はその一端を繊条中央部の１次コイル周に弛く巻きつけることによつて鉤係させ、他端を上記排気管封着部２のガラスに封着固定することによつて繊条中央部を支持している。この支持線は第２図に示すようにガラス管に組込み前の繊条中央部に線の一端を弛く巻きつけることによつて懸垂状態に予め取付け、この繊条をガラス管１に挿入して支持線の他端を封止前の排気管２’根本の中空内に落しこんでおいて、排気管封止の際に封止と同時にそのガラスに封着することによつて固定されたものである。」（１頁右欄８〜２７行）
　
（３）対比
　補正後発明と引用発明とを対比する。
　ア　引用発明の「ガラス質ビード２４、２４’」、「フィラメント支持物１０、１０’」、「フィラメントコイル２８」、「フィラメントコイル集合体３２」が、それぞれ、補正後発明の「融着部材」、「サポート」、「フィラメント」、「サポート組込フィラメント」に相当する。
　イ　引用発明の溶接部は、他方の端部側に形成されるから、ガラス質ビード２４、２４’設置部分以外の部分に形成されていることに他ならない。
　そして、引用発明の「溶接部」と、補正後発明の「リング状のフィラメント保持部」とは、共に「フィラメント保持部」である点で共通し、引用発明の「吊り下げられている」ことと、補正後発明の「遊嵌状にて吊り下げられている」こととは、共に「吊り下げられている」ことで共通する。
　ウ　引用発明の「フィラメント室４９を含むガラス室エンベロープ」が、補正後発明の「外囲器」に相当し、引用発明の「内表面」が、補正後発明の「内周面」に相当する。
　エ　引用発明の「フィラメント支持物１０、１０’を吊り下げた状態でフィラメントコイル集合体３２をフィラメント室４９に入れてガラス質ビード２４、２４’をフィラメント室４９の内表面に接触させ、ガラス質ビード２４、２４’がフィラメント室４９の内表面に接触している状態でフィラメント支持物１０、１０’に固定したガラス質ビード２４、２４’を加熱してフィラメント室４９の内表面に融着する」事は、補正後発明の「サポートを吊り下げた状態でフィラメントを外囲器内に挿入して融着部材を外囲器の内周面に接触させ、融着部材が外囲器の内周面に接触している状態でサポートに取り付けた融着部材を加熱して外囲器の内周面に融着する」事に相当する。
　以上、ア〜エの考察から、両者は、
　【一致点】
「少なくともいずれかの端部側に融着部材が取着され、融着部材設置部分以外の部分にフィラメント保持部が形成されるサポートと、前記フィラメント保持部にてサポートが吊り下げられているフィラメントとで構成されるサポート組込フィラメントと、外囲器とを用意し、サポートを吊り下げた状態でフィラメントを外囲器内に挿入して融着部材を外囲器の内周面に接触させ、融着部材が外囲器の内周面に接触している状態でサポートに取り付けた融着部材を加熱して外囲器の内周面に融着する事を特徴とするフィラメントのサポートの取付方法。」
である点で一致し、以下の相違点で相違する。
　【相違点】
　補正後発明では、フィラメント保持部が「リング状」であって、サポートが「遊嵌状にて」吊り下げられているのに対し、引用発明では、フィラメント保持部が溶接部であって、遊嵌状にて吊り下げていない点。
　
（４）判断
　上記相違点について検討する。
　引用例２には、「この支持線は第２図に示すようにガラス管に組込み前の繊条中央部に線の一端を弛く巻きつけることによつて懸垂状態に予め取付け、この繊条をガラス管１に挿入して支持線の他端を封止前の排気管２’根本の中空内に落しこんでおいて、排気管封止の際に封止と同時にそのガラスに封着することによつて固定されたものである。」（上記摘記事項（イ）参照）と記載されており、『一端を弛く巻きつけることによつて懸垂状態に予め取付け』とは、弛く巻き付けることよってリングが形成されかつ遊嵌状にて吊り下げられていることに他ならない。そして、引用発明と引用例２記載の技術は、共に、いわゆるサポートを吊り下げた状態でフィラメントを外囲器に挿入する形式のフィラメント取付方法であるという点で同一の技術分野に属するものであり、さらに、引用発明の溶接部と引用例２記載の一端を弛く巻きつけた部分とは、共にサポートによりフィラメントを保持するフィラメント保持部の構成である点でも共通するから、引用発明に引用例２記載の技術を適用することに困難性はない。したがって、引用発明の溶接部に代えて引用例２記載の弛く巻き付けることよってリングが形成されかつ遊嵌状にて吊り下げられている点の技術を適用して、補正後発明のように構成することは当業者が容易になし得たものである。
　そして、補正後発明の奏する作用効果についても、引用例１及び２に記載された事項に基づいて当業者が予測し得る範囲内のものにすぎない。
　なお、審判請求人は、請求の理由において、『前述したように、引用文献３（当審注：引用例１）は、その発明が成立するためには「フィラメントと支持物(サポートに相当)との溶接が不可欠」であり、引用文献２（当審注：引用例２）に記載の「フィラメントに遊嵌状態で取り付けられる支持線」を引用文献３（当審注：引用例１）に組み合わせことができない（阻害事項）。とすれば、前述のとおり引用文献３（当審注：引用例１）に引用文献２（当審注：引用例２）を組み合わせて「は当業者が容易になし得る事項にすぎない」とした判断は明らかに誤りである。』と主張している。
　しかしながら、上記のごとく、引用例１に記載された引用発明と引用例２記載の技術とは、共に、いわゆるサポートを吊り下げた状態でフィラメントを外囲器に挿入する形式のフィラメント取付方法であるという点で同一の技術分野に属するものであり、引用発明の溶接部と引用例２記載の一端を弛く巻きつけることによつて懸垂状態に予め取付けた部分とは、共にサポートによりフィラメントを保持するフィラメント保持部の構成である点でも共通する。さらには、引用例１の記載「したがってたるみが防止され、フィラメントの精密な心合わせが不要で、フィラメントをこわすことなく直径の小さな管を通して大きなフィラメント室に挿入することができる上記のようなダブルエンド型白熱ランプ用のフィラメント支持物が要求されてきた。」（上記摘記事項（ウ）参照）、及び、引用例２の記載「本考案は多重コイル繊条を備えた管形電球の改良に係り殊に繊条の垂れ下りを防止するようにしたものである。」（上記摘記事項（ア）参照）によれば、両者は、フィラメントのたるみ（垂れ下がり）を防止するという点で共通の課題を有するものでもある。また、引用発明の溶接部は、フィラメントコイル２８のコイル状の部分に溶接されるものであるから、コイル状の部分の変形容易性を考慮すれば、溶接部によりフィラメント保持部を形成した引用発明の場合であっても、コイル状部の変形を伴うことはともかくとして、フィラメント支持物１０、１０’は、フィラメント支持物１０、１０’の自重により、フィラメントコイル２８に対して溶接部にて吊り下げられている状態になるものと解されるから、自重により吊り下げられている状態になるという点でも引用例２記載の技術と共通する。したがって、引用発明に引用例２記載の技術を適用することに阻害要因はないというべきであり、請求人の上記主張を採用することはできない。
　以上のとおりであるから、補正後発明は、引用発明及び引用例２に記載された発明に基づいて当業者が容易に発明をすることができたものであり、特許法第２９条第２項の規定により特許出願の際独立して特許を受けることができないものである。
　
　４　むすび
　したがって、本件補正は、特許法第１７条の２第５項において準用する同法第１２６条第５項の規定に違反するので、特許法第１５９条第１項において読み替えて準用する同法第５３条第１項の規定により却下すべきものである。
　
第３　本願発明について
　平成１６年４月３０日付けの手続補正は上記のとおり却下されたので、本願の請求項１に係る発明（以下、「本願発明」という。）は、平成１６年２月９日付け手続補正書により補正された明細書及び図面の記載からみて、その特許請求の範囲の請求項１に記載された事項により特定される次のとおりのものである。
「【請求項１】少なくともいずれかの端部側に融着部材が取着され、融着部材設置部分以外の部分にリング状のフィラメント保持部が形成されるサポートと、前記リング状のフィラメント保持部にてサポートが遊嵌状にて吊り下げられるフィラメントとで構成されるサポート組込フィラメントと、外囲器とを用意し、サポートを吊り下げた状態でフィラメントを外囲器内に挿入し、サポートに取り付けた融着部材を加熱して外囲器の内周面に融着する事を特徴とするフィラメントのサポートの取付方法。」
　
第４　引用例
　原査定の拒絶の理由に引用された、引用例１（特開平６−４４９４９号公報）、その記載事項及び引用発明、並びに、引用例２（実公昭４０−３０７９０号公報）及びその記載事項は、上記「第２」の「３（２）引用例」に記載したとおりである。
　
第５　対比・判断
　本願発明は、上記「第２」の「３独立特許要件について」で検討した補正後発明の発明を特定するために必要な事項である、「融着部材を外囲器の内周面に接触させ、融着部材が外囲器の内周面に接触している状態でサポートに取り付けた融着部材を加熱して」に関して、「融着部材を外囲器の内周面に接触させ、融着部材が外囲器の内周面に接触している状態で」の事項を実質的に省いたものである。
　そうすると、本願発明の発明特定事項を全て含みさらに他の特定事項を付加したものに相当する補正後発明が、上記「第２」の「３独立特許要件について」に記載したとおり引用発明及び引用例２に記載された発明に基づいて当業者が容易に発明をすることができたものであるから、本願発明も、同様の理由により、引用発明及び引用例２に記載された発明に基づいて当業者が容易に発明をすることができたものである。
　
第６　むすび
　以上のとおりであるから、本願発明は、引用発明及び引用例２に記載された発明に基づいて当業者が容易に発明をすることができたものであり、特許法第２９条第２項の規定により特許を受けることができない。
　よって、結論のとおり審決する。